(57)【要約】      （修正有）【課題】断熱性が高い上、難燃１級の防火性を有する、日射遮蔽性及び防火性を備えたエアロゲル・ノボラック発泡板を提供する。【解決手段】日射遮蔽性及び防火性を備えたエアロゲル・ノボラック発泡板は、本体層１及び少なくとも１つのアルミニウム箔層２を備える。本体層は、ノボラック発泡板１１内に配置された複数のエアロゲル顆粒１２を有する。アルミニウム箔層は、本体層の少なくとも１つの表面を覆う。アルミニウム箔層は、表面輻射率０．９０１、可視光反射率７５．５９、日光反射率７８．４７、紫外線反射率７２．４０である。本体層の上下両面が、アルミニウム箔層によりそれぞれ覆われるのが好ましい。【選択図】図１
0003217147.tif 000002
【実用新案登録請求の範囲】
【請求項１】
本体層及び少なくとも１つのアルミニウム箔層を備えた日射遮蔽性及び防火性を備えたエアロゲル・ノボラック発泡板であって、
前記本体層は、ノボラック発泡板内に配置された複数のエアロゲル顆粒を有し、
前記アルミニウム箔層は、前記本体層の少なくとも１つの表面を覆うことを特徴とする、
日射遮蔽性及び防火性を備えたエアロゲル・ノボラック発泡板。
【請求項２】
前記アルミニウム箔層は、表面輻射率０．９０１、可視光反射率７５．５９、日光反射率７８．４７、紫外線反射率７２．４０であることを特徴とする請求項１に記載の日射遮蔽性及び防火性を備えたエアロゲル・ノボラック発泡板。
【請求項３】
前記本体層の上下両面は、前記アルミニウム箔層によりそれぞれ覆われることを特徴とする請求項１に記載の日射遮蔽性及び防火性を備えたエアロゲル・ノボラック発泡板。
【考案の詳細な説明】
【技術分野】
【０００１】
本考案は、日射遮蔽性及び防火性を備えた板状のエアロゲル・ノボラック発泡板に関し、特に、ノボラック発泡板内に複数のエアロゲル顆粒の板材が配置され、断熱性が高い上、防火難燃特性を有する技術に関する。
【背景技術】
【０００２】
従来の建物の断熱方式は、建物の表面に断熱塗料を塗布する方式を採用することが一般的であるが、このような方式は気体中に浮遊する微粒子が屋根の表面に沈降し、屋根の塗料が日射の影響を受けて性能が低下し、使用期間が延びるに従い、屋根の断熱性が下がることがあった。
【０００３】
また、断熱材料を屋根又は外壁内部に設置する方式は、断熱方式としてよく利用される。例えば、特許文献１の「断熱屋根」は、床下構造体、排水断熱層、繊維層及び透水被覆層を主に含む。排水断熱層は、断熱空間を画成する少なくとも１つの排水板を含む。上述した透水被覆層は、床下構造体に太陽光が直接照射されることを防ぎ、断熱空間内の空気により、大部分の熱エネルギーが床下構造体へ伝導されることを防いでいた。しかし上述した構造は、断熱効果が得られても、その構造は複雑であった。
【０００４】
従来の断熱材料は、ポリウレタン（ｐｏｌｙｕｒｅｔｈａｎｅ：ＰＵ）発泡板又は石綿である。例えば、特許文献２の「建物用断熱板」は、断熱板にポリウレタン硬質発泡材からなる矩形本体が含まれる。さらに特許文献３の「断熱材構造改良」では、屋根、壁板上に使用する組立・施工が容易な断熱材構造が開示されている。上下２枚の鋼板間には、岩綿からなる断熱防火層が形成され、岩綿及び鋼板の特性と、層数が少なめな構造とにより、断熱、軽量及び低コストの長所を有する。しかし、ポリウレタン発泡板は、優れた断熱性能を有するが、ＰＵ発泡板は可燃性材料からなった。また、岩綿は不燃材料に属するが、その断熱性能はポリウレタン発泡板より劣り、岩綿を実際に使用する段階で水分を吸収するため、断熱性能が低下することがあった。
【０００５】
従来のノボラック発泡板は難燃材料からなる。例えば、特許文献４の「ハニカム構造を有するノボラック発泡板」は、簡単な製造工程で、内部にハニカム平板体を有するように内部が中空状に形成されているため、板全体の密度が非常に低く、断熱性及び耐火性が高かった。しかし、従来市販されていたノボラック発泡材料の大部分は難燃３級又は難燃２級であったため、ノボラック発泡板の難燃性をさらに高めるためには、難燃剤を別途加える必要があった。
【先行技術文献】
【特許文献】
【０００６】
【特許文献１】台湾実用新案登録第Ｍ５４１４９１号公報
【特許文献２】台湾実用新案登録第Ｍ４５３６９８号公報
【特許文献３】台湾実用新案登録第Ｍ３０１９１０号公報
【特許文献４】台湾特許第Ｉ４６８２９３号公報
【考案の概要】
【考案が解決しようとする課題】
【０００７】
本考案の主な目的は、断熱性が高い上、難燃１級の防火性を有する、日射遮蔽性及び防火性を備えたエアロゲル・ノボラック発泡板を提供することにある。
【課題を解決するための手段】
【０００８】
上記課題を解決するために、本考案の第１の形態によれば、本体層及び少なくとも１つのアルミニウム箔層を備えた日射遮蔽性及び防火性を備えたエアロゲル・ノボラック発泡板であって、前記本体層は、ノボラック発泡板内に配置された複数のエアロゲル顆粒を有し、前記アルミニウム箔層は、前記本体層の少なくとも１つの表面を覆うことを特徴とする日射遮蔽性及び防火性を備えたエアロゲル・ノボラック発泡板を提供する。
【０００９】
前記アルミニウム箔層は、表面輻射率０．９０１、可視光反射率７５．５９、日光反射率７８．４７、紫外線反射率７２．４０であることが好ましい。
【００１０】
前記本体層の上下両面は、前記アルミニウム箔層によりそれぞれ覆われることが好ましい。
【考案の効果】
【００１１】
本考案の日射遮蔽性及び防火性を備えたエアロゲル・ノボラック発泡板は、断熱性が高い上、難燃１級の防火性を有する。
【図面の簡単な説明】
【００１２】
【図１】本考案の第１実施形態に係る日射遮蔽性及び防火性を備えたエアロゲル・ノボラック発泡板を示す断面図である。
【図２】本考案の第２実施形態に係る日射遮蔽性及び防火性を備えたエアロゲル・ノボラック発泡板を示す断面図である。
【考案を実施するための形態】
【００１３】
本考案の技術手段及びそれにより達成可能な効果を、より完全かつ明白に開示するために、開示した添付の図面及び符号と併せて本考案を以下詳説する。
【００１４】
（第１実施形態）
まず、図１を参照する。図１に示すように、本考案の第１実施形態に係る日射遮蔽性及び防火性を備えたエアロゲル・ノボラック発泡板は、本体層１及び少なくとも１つのアルミニウム箔層２を含む。本体層１は、ノボラック発泡板１１内に配置された複数のエアロゲル顆粒１２を有する。アルミニウム箔層２は、本体層１の少なくとも１つの表面を覆う。好ましくは、上述したアルミニウム箔層２は、表面輻射率０．９０１、可視光反射率７５．５９、日光反射率７８．４７、紫外線反射率７２．４０である。
【００１５】
上述した本体層１のノボラック発泡板１１は、熱を遮蔽して高い断熱効果を得る。本考案は、ノボラック板の発泡過程中では、エアロゲル粉末により構成されたエアロゲル顆粒１２を添加し、エアロゲル・ノボラック発泡板１１の難燃性を難燃１級に高めることができる。
【００１６】
本考案の一実施形態に係る日射遮蔽性及び防火性を備えたエアロゲル・ノボラック発泡板は、以下のステップで製造される。まず、エアロゲル粉末からなるエアロゲル顆粒１２と、ノボラック樹脂とを均一に混合した後、リン酸触媒を加えて均一に混合し、オーブンに入れて硬化し、エアロゲルを含むノボラック発泡板１１が形成されて本体層１が成形される。
本体層１は、上下のうちの一側がアルミニウム箔層２を覆って図１に示すような構造が形成されるか、本体層１の上下両面がアルミニウム箔層２によりそれぞれ覆われ、図２に示すような構造が形成され、アルミニウム箔が高反射率（図２に示す矢印で示す）及び高発射率の特性を有するため、高い日射遮蔽性が得られる。
【００１７】
本考案は、全体的な構造が簡素であり、反射９４％の熱輻射であるとともに、難燃１級の特性を有する。
【００１８】
上述したことから分かるように、本考案の日射遮蔽性及び防火性を備えたエアロゲル・ノボラック発泡板は、以下（１）及び（２）の長所を有する。
（１）ノボラック発泡板中に顆粒が添加されるため、ノボラック発泡板の熱解離速度を下げて、エアロゲルの断熱性が難燃１級に高まる。
（２）アルミニウム箔を利用して単層又は２層で防火ノボラック発泡板の表面を覆い、外層のアルミニウム箔が高反射率及び高輻射率を有するため、日射を遮蔽し、中間のエアロゲル・ノボラック発泡層により熱を遮蔽して高い断熱効果が得られる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１    本体層
２    アルミニウム箔層
１１  ノボラック発泡板
１２  エアロゲル顆粒
【図１】
0003217147.tif 000003
【図２】
0003217147.tif 000004